(57)【特許請求の範囲】
【請求項１】
吸収体であって、
体の排泄物を受けて保持するために装着者の下部胴体に隣接して装着されるものであり、かつ、長手方向中心線、横断方向の中心線、前部ウエスト領域、背部ウエスト領域、および股領域を有してなり、
ａ．外側衣服側表面および内側体側表面を有する液体不透過性バックシートと、
ｂ．それ自体を装着者の体に隣接して配置できるようにした形状を有してなり、かつ、液体を吸収する容量を有する吸収性コアと、及び
ｃ．吸収性コアの上に位置してなる、可撓性、液体浸透性、弾性的で延伸性のあるトップシートとを備えてなり、
前記トップシートが、弾性的延伸性の材料から形成されてなり、かつ、前記弾性的延伸性の材料を貫通してなるスリットのパターンを包含してなるものであり、
前記スリットのパターンが、少なくとも股領域の一部において、長手方向中心線の方向に延びてなるものであり、
前記トップシートが横方向の張力を受けた際に、前記スリットが前記トップシートを貫通して延びる間隔を置いて配置された複数の開口部を画定するにように開いてなり、体からの固体状および半固体状の排泄物がトップシートを通過して吸収性コアに到達可能とされてなり、及び
前記トップシートが非張力状態の際に、前記弾性的延伸性の材料の弾性収縮により、前記スリットが実質的に閉じてなるものである、吸収体。
【請求項２】
前記弾性的延伸性の材料が、弾性的延伸性の重合体フィルム製のアパーチャーを設けたシートである、請求項１に記載の吸収体。
【請求項３】
前記トップシートが、１０％〜５００％の弾性的延伸性を有するものである、請求項１又は２に記載の吸収体。
【請求項４】
前記スリットが、１．０ｍｍ〜１００ｍｍの長さを有する、請求項１〜３の何れか一項に記載の吸収体。
【請求項５】
前記スリットが、長手方向軸に対して４５度傾斜してなる、請求項１〜４の何れか一項に記載の吸収体。
【請求項６】
前記スリットが、直線状および／または曲線状である、請求項１〜５の何れか一項に記載の吸収体。
【請求項７】
前記バックシートが、弾性的延伸性を有するものである、請求項１〜６の何れか一項に記載の吸収体。
【請求項８】
前記スリットが、間隔を置いて配置され複数の列に配設されてなる、請求項１〜７の何れか一項に記載の吸収体。
【請求項９】
互いに隣接する前記スリットの端が、最大で１０．０ｍｍの距離だけ互いに間隔を置いて配置されてなる、請求項８に記載の吸収体。
【請求項１０】
前記トップシートが、前記吸収体の中央長手方向領域で前記バックシートから間隔を置いて配置されてなり、前記固体状および半固体状の排泄物を受ける空洞を前記トップシートと前記吸収性コアとの間に画定してなる、請求項１〜９の何れか一項に記載の吸収体。
【発明の詳細な説明】
【０００１】
本発明は、使い捨ておむつなどの使い捨て吸収体に関する。より具体的には、本発明は、引張力を受けたときに開き、引張力が解除されたときに閉じるスリットを含む弾性的延伸性体側トップシートを有する使い捨て吸収体に関する。
【０００２】
幼児およびその他の失禁者は、排出された尿および体からのその他の排泄物を受けて封じ込めるおむつや失禁ブリーフなどの吸収体を装着する。このような吸収体は、排出された材料を含むと共に、このような材料を装着者の体および装着者の衣服および寝具から分離するように機能する。多数の異なる基本設計を有する使い捨て吸収体が当技術分野で知られている。たとえば、１９６７年１月３１日にＤｕｎｃａｎ等に発行された、「使い捨ておむつ」と題された米国再発行特許第２６，１５２号は、広く受け入れられかなりの商業的成功を収めた基礎使い捨ておむつ構造を説明している。
【０００３】
便材料が通過できるようにする比較的大面積の単一の孔を有するトップシートを含む使い捨て吸収体が知られている。このような構造は、装着者の体から便材料を分離するためのものである。このような既知の構造の例は、１９９１年８月６日にＡｌｌｅｎ等に発行された「弾性的延伸性トップシートを有する使い捨て吸収体」と題された米国特許第５，０３７，４１６号、１９９３年１２月１４日にＦｒｅｅｌａｎｄ等に発行された「使い捨て吸収体用の三分割トップシートおよびそのような三分割トップシートを有する使い捨て吸収体」と題された米国特許第５，２６９，７７５号、および１９９７年４月２９日にＡｌｌｅｎに発行された「延伸性分割コアを有する吸収体」と題された米国特許第５，６２４，４２２号に開示されている。
【０００４】
装着者の体から便材料を分離するだけでなく、装着者の体から吸収体を取り外したときに便材料が見えないようにすることも極めて望ましい。このように便材料を隠すことは、便材料が、赤ん坊および幼児と、下痢に罹っているその他の人の排便に典型的な半固体形または流体形であるときに特に望ましい。したがって、本発明の態様は、吸収体の使用中に受けた半固体状および流体状の便材料をできるだけ見えないようにするように構成された使い捨ての吸収体を提供することである。
本発明の要旨
簡単に言えば、本発明の一態様によれば、ウエストおよび下部胴体周辺に装着される吸収体が提供される。この吸収体は、外側衣服側表面および内側体側表面を有する液体不透過性バックシートを含む。バックシートの体側表面に隣接して吸収性コアが設けられる。吸収性コアは、それ自体を装着者の体の股領域に隣接して配置できるようにする形状を有し、かつ液体を吸収する容量を有する。可撓性の液体透過性トップシートが吸収性コアの上に位置しており、このトップシートは、それが非張力状態のときには実質的に閉じ、それが張力を受けたときには、間隔を置いて配置されてトップシートを貫通して延びる複数の開口部を画定するように開き、固体状および半固体状の便材料がトップシートを通過して吸収性コアに到達できるようにする間隔を置いて配置された複数の不連続部を含む。装着者から吸収体を取り外すと、トップシート開口部が閉じ便材料は実質的に隠される。
発明の詳細な説明
ここで使用されている、用語「吸収体」は、身体排泄物を吸収し、封じ込める装置を指しており、より具体的には、体から排出された様々の排泄物を吸収し封じ込める装着者の体に接触して又は接近して配置される装置を言う。用語「使い捨て」は、ここで、一般的に、洗濯されるか、そうでなければ復元または再使用されることを意図しない吸収体を説明するのに使用される（すなわち、それらは、ただ一回の使用後に捨てられ、そして、好ましくは、環境的に適合性のある手段でリサイクルされるか、堆肥にされるかまたはそうでなければ処分されることが意図される）。（ここで使用される場合、用語「配置」は、おむつの要素が、おむつの他の要素を有する統一的構造として特定の場所または位置に形成される（接合され、そして位置決めされる）ことを意味するのに使用される。ここで使用される、用語「接合された」は、それによって要素は、その要素を他の要素に直接的に添付させることによって、別の要素に直接的に固定する構成、および要素が、その要素を、他の要素に順に添付する中間部分に添付することによって、別の要素に間接的に固定する構成を含む。）「一体型」吸収体は、共に一体化される別個の部品から形成されて、統合された全体性を形成して、その結果、それらが、別々のホルダーおよびライナーのような別個の手で扱う部品を必要としない吸収体を言う。本発明の吸収体の好ましい実施の形態は、図１に示される一体型使い捨て吸収体２０である。ここで使用される、用語「おむつ」は、下部胴体周辺に幼児および失禁者によって一般に装着される吸収体を言う。本発明は、失禁用ブリーフ、失禁用下着、吸収インサート、おむつホルダーおよびライナー、女性用衛生衣類、ハンカチ、モップ、包帯等のような他の吸収体に適切でもある。
【０００５】
図１は、おむつ２０の構造をいっそう明確に示すために切り取られた構造の部分と共に広げられた状態での本発明のおむつ２０の平面図である。装着者に面するおむつ２０の部分は、見る人の方に向けられる。図１に示されるように、おむつ２０は、好ましくは、液体透過性トップシート２４、液体不透過性バックシート２６、少なくともトップシート２４の一部とバックシート２６との間に位置決めされるのが好ましい吸収性コア２８、サイドパネル３０、弾性レッグカフ３２、弾性ウエスト部材（ｆｅａｔｕｒｅ）３４、および全体を通して参照符号３６で示される留め具システムを備えている。第一のウエスト領域４６、第一のウエスト領域４６に対向する第二のウエスト領域４４、および第一のウエスト領域および第二のウエスト領域の間に配置される股領域３７を有するおむつ２０は、図１に示される。おむつ２０の周辺部は、長手方向の縁５０が、一般的に、おむつ２０の長手方向の中心線１００に平行に走り、そして端縁５２が、おむつ２０の横断方向の中心線１１０に平行である長手方向の縁５０の間を走る、おむつ２０の外側縁によって画定される。
【０００６】
おむつ２０のシャシ２２は、おむつ２０の本体を備える。シャシ２２は、吸収性コア２８の少なくとも一部を、そして好ましくは、トップシート２４とバックシート２６とを含む外側カバー層を備える。シャシ２２は、内側の体側表面４０および外側の衣服側表面４２を含む。吸収体が、別個のホルダーおよびライナーを備える場合、シャシ２２は、一般に、ホルダーおよびライナーを備える。（例えば、ホルダーは、製品の外側カバーを形成する１つまたはそれ以上の材料の層を備えていてもよく、ライナーは、トップシート、バックシートおよび吸収性コアを含む吸収性組立て体を備えていてもよい。このような場合には、ホルダーおよび／またはライナーは、使用の間中、適所にライナーを保持するのに使用される留め具要素を含んでよい。）一体型吸収体については、シャシ２２は、複合体おむつ構造を形成するのに加えられた他の特性を示すおむつの主用構造を備える。トップシート２４、バックシート２６およびシャシ２２は、多様なよく知られた形状で組み立てることができ、好ましいおむつ形状は、１９７５年１月１４日にＫｅｎｎｅｔｈ  Ｂ．Ｂｕｅｌｌに発行された「使い捨ておむつ用の収縮側面部分」と題された米国特許第３，８６０，００３号；１９９２年９月９日にＢｕｅｌｌに発行された米国特許第５，１５１，０９２号；１９９３年にＢｕｅｌｌに発行された米国特許第５，２２１，２７４号；１９９６年９月１０日にＲｏｅらに発行された「多重ゾーン構造弾性様フィルムウェブ延伸性ウエスト部材を有する吸収体」と題された米国特許第５，１５１，０９２号；１９９６年１０月２９日にＫｅｎｎｅｔｈ  Ｂ．Ｂｕｅｌｌらに発行された「使い捨てプルオンパンツ」と題された米国特許第５，５６９，２３４号；１９９６年１２月３日にＮｅａｓｅらに発行された「吸収体用のサイドパネルを製造するゼロスクラップ法」と題された米国特許第５，５８０，４１１号；Ｒｏｂｌｅｓらの名前で１９９７年８月２０日に出願された「多方向延伸性サイドパネルを有する吸収体と題された米国特許出願第０８／９１５，４７１号に一般に説明され、その各々は、参照してここに組込まれる。
【０００７】
バックシート２６は一般に、吸収性コア２８の衣服側表面に隣接して位置決めされた、おむつ２０の部分である。バックシート２６は、そこに吸収され、封じ込められた排泄物が、ベッドシートおよび下着のようなおむつ２０と接触する可能性のある製品を汚すのを防ぐ。好ましい実施の形態では、バックシート２６は、液体（例えば、尿）に不透過性であり、そして約０．０１２ｍｍ（０．５ミル）〜約０．０５１ｍｍ（２．０ミル）の厚みを示す熱可撓性フィルムのような薄いプラスチックフィルムを備える。適切なバックシートフィルムは、インディアナ州テール・オート（Ｔｅｒｒｅ  Ｈａｕｔｅ，ＩＮ）のトレデガー社（Ｔｒｅｄｅｇａｒ  Ｉｎｄｕｓｔｒｉｅｓ  Ｉｎｃ．）によって製造され、商品名Ｘ１５３０６、Ｘ１０９６２およびＸ１０９６４として販売されるものを含む。他の適切なバックシート材料は、蒸気が、おむつ２０から逃げるのを許容する一方で、なお排泄物がバックシート２６を通過することを防ぐ通気性材料が挙げられる。例示の通気性材料は、織布ウェブ、不織布ウェブのような材料、フィルム被覆不織布ウェブのような複合材料、および名称エスポワールＮＯとして日本の三井東圧（Ｍｉｔｓｕｉ  Ｔｏａｔｓｕ  Ｃｏ．，）によって、名称ＥＸＸＡＩＲＥとしてテキサス州ベイ・シティー（Ｂａｙ  Ｃｉｔｙ，ＴＸ）のエクソン・ケミカル社（ＥＸＸＯＮ  Ｃｈｅｍｉｃａｌ  Ｃｏ．，）によって製造されるような多孔性フィルムを含んでよい。ポリマーブレンド物を備える適切な通気性複合材料は、名称ＨＹＴＲＥＬブレンドＰ１８−３０９７としてオハイオ州シンシナティ（Ｃｉｎｃｉｎｎａｔｉ，ＯＨ）のクロペイ社（Ｃｌｏｐａｙ  Ｃｏｒｐｏｒａｔｉｏｎ）から入手可能である。このような通気性複合材料は、１９９５年６月２２日に、Ｅ．Ｉ．Ｄｕｐｏｎｔの名前で公開されたＰＣＴ出願番号第ＷＯ９５／１６７４６号、および１９９６年１１月６日にＣｕｒｒｏの名前で出願された、共に係続中の米国特許出願番号第０８／７４４，４８７号により詳細に説明されている。不織布ウェブおよび開穴成形フィルムを含む他の通気性バックシートは、１９９６年１１月５日にＤｏｂｒｉｎらに発行された米国特許第５，５７１，０９６号に説明される。これらの資料の各々は、ここに参照して組込まれる。
【０００８】
バックシート２６、あるいはそのいずれかの部分は、１つまたはそれ以上の方向に弾性的に延伸性があってよい。１つの実施の形態では、バックシート２６は、構造性の弾性様フィルム（「ＳＥＬＦ」）ウェブを備えてよい。構造性の弾性様フィルムウェブは、追加の弾性材料を使用することなしに、延伸の方向での弾性様挙動を示す延伸性材料である。ＳＥＬＦウェブは、少なくとも２つの連続する、性質の異なる、および非類似の領域を有する引張り可能なネットワークを含む。好ましくは、その領域の内の１つが、他の領域の実質部分が、加えられる延伸に対して目立った抵抗力を示すように構成される。少なくとも領域の１つは、材料が、非張力条件下にある間、予め決定された軸に実質的に平行に測定されたときの他の領域のものより大きい表面経路長を有する。より大きな表面経路長を示す領域は、他の領域の平面を越えて伸長する１つまたはそれ以上の変形を含む。ＳＥＬＦウェブは、予め決定された軸に平行な方向において加えられた延伸にかけられた場合、少なくとも１つの予め決定された軸に沿って延伸する制御された抵抗力の少なくとも２つのかなり異なる段階を示す。ＳＥＬＦウェブは、ウェブの延伸が、より長い表面経路長を示すその領域の実質的な部分が、ＳＥＬＦウェブがさらなる延伸に対する第二の抵抗力を示す場合、負荷された伸長の平面に入るのに十分であるまで、加えられた延伸に対する第一の抵抗力を示す。延伸に対する総抵抗力は、第一の領域によって供される延伸に対する第一の抵抗力より高い。本発明に適切なＳＥＬＦウェブは、１９９６年５月２１日にＣｈａｐｐｅｌｌらに発行された弾性様挙動を示すウェブ材料と題された米国特許第５，５１８，８０１号にさらに完全に説明されており、そしてそれは、参照してここに組込まれる。別の実施の形態では、バックシート２６は、エラストマーフィルム、フォーム、ストランドまたは不織布または合成フィルムを有するこれらまたは他の適切な材料の組合せを含んでよい。
【０００９】
バックシート２６は、当業界で知られた任意の付着手段によって、トップシート２４、吸収性コア２８およびおむつ２０の任意の他の要素に接合しうる。例えば、付着手段は、接着剤の均一連続層、パターン接着剤層、または一列の別々の接着剤線、螺旋、またはスポットを含みうる。１つの好ましい付着手段は、１９８６年３月４日に、Ｍｉｎｅｔｏｌａらに発行された「使い捨て排泄物包含衣類」と題された米国特許第４，５７３，９８６号に開示されるような接着剤フィラメントのオープンパターンネットワークを備える。他の適切な付着手段は、１９７５年１０月７日にＳｐｒａｇｕｅ，Ｊｒ．に発行された米国特許第３，９１１，１７３号；１９７８年１１月２２日にＺｉｅｃｋｅｒらに発行された米国特許第４，７８５，９９６号；および１９８９年６月２７日にＷｅｒｅｎｉｃｚに発行された米国特許第４，８４２，６６６号に示される装置および方法によって例示されるように、渦巻き状に螺旋パターンにされたいくつかの接着剤フィラメントを含む。これらの特許の各々は、参照してここに組込まれる。満足されることが分かっている接着剤は、ミネソタ州セント・ポールのエイチ・ビー・フラー社（Ｈ．Ｂ．Ｆｕｌｌｅｒ  Ｃｏｍｐａｎｙ）によって製造され、そしてＨＬ−１２５８として市販されている。あるいは、付着手段は、熱接着、圧力接着、超音波接着、動的機械的接着、または当業界で知られるように任意の他の適切な付着手段またはこれらの付着手段の組合せを備えてもよい。
【００１０】
トップシート２４は、好ましくは吸収性コア２８の体側表面４０に隣接して配置され、そして当業界で知られる任意の付着手段によって、そこに接合させ、および／またはバックシート２６に結合させることができる。適切な付着手段は、バックシート２６をおむつ２０の他の要素に結合させる手段に関して上に説明されている。本発明の１つの好ましい実施の形態では、トップシート２４およびバックシート２６は、ある位置で互いに直接結合され、そしてそれらをおむつ２０の他の要素に直接結合させることによって、互いに間接的に接合される。
【００１１】
トップシート２４は、好ましくは柔軟で、感触が柔らかく、装着者の皮膚に刺激を与えない。さらに、少なくとも１つトップシート２４の一部は、液体にその厚みを容易に透過できる液体透過性である。適切なトップシート２４は、多孔性フォーム、網状化フォーム、開孔プラスチックフィルム、または天然繊維（例えば、木材または綿繊維）、合成繊維（例えば、ポリエステルまたはポリプロピレン繊維）の織布または不織布ウェブ、または天然および合成繊維の組合せのような広範な材料から製造されうる。トップシートが繊維を含む場合、繊維は、スパンボンド、カード、ウェットレイ、メルトブラウン、ハイドロエンタングルされるか、またはそうでなければ当業界で知られているような加工をされていてもよい。ステープル長さのポリプロピレン繊維のウェブを備える１つの適切なトップシート２４は、名称Ｐ−８として、マサチューセッツ州、ウォルポール（Ｗａｌｐｏｌｅ，Ｍａｓｓａｃｈｕｓｅｔｔｓ）のインターナショナル・ペーパー・カンパニー（Ｉｎｔｅｒｎａｔｉｏｎａｌ  Ｐａｐｅｒ  Ｃｏｍｐａｎｙ）の一部門であるベラテック社（Ｖｅｒａｔｅｃ  Ｉｎｃ．，）によって製造される。
【００１２】
適切な成形フィルムトップシートは、１９７５年１２月３０日にＴｈｏｍｐｓｏｎに発行された「先細り毛管を有する吸収性構造」と題された米国特許第３，９２９，１３５号；１９８２年４月１３日にＭｕｌｌａｎｅらに発行された「汚れ耐性トップシートを有する使い捨て吸収体」と題された米国特許第４，３２４，２４６号：１９８２年８月３日にＴａｄｅｌらに発行された「繊維様特性を示す弾性プラスチックウェブ」と題された米国特許第４，３４２，３１４号；１９８４年７月３１日にＡｈｒらに発行された「可視光沢面および布様触質印象を示す巨視的拡大三元プラスチックウェブ」と題された米国特許第４，４６３，０４５号；および１９９１年４月９日にＢａｉｒｄに発行された「多層ポリマーフィルム」の米国特許第５，００６，３９４号に説明されている。他の適切なトップシート３０は、それぞれ、１９８６年９月２日および１９８６年１２月１６日にＣｕｒｒｏらに発行された米国特許第４，６０９，５１８号および第４，６２９，６４３号によって作成され、そしてその両方は、参照してここに組込まれる。このような成形フィルムは、「ドリウィーブ（ＤＲＩ−ＷＥＡＶＥ）」としてオハイオ州シンシナティのプロクター・アンド・ギャンブル社および、「ＣＬＩＦＦ−Ｔ」としてインディアナ州テール・オート（Ｔｅｒｒｅ  Ｈａｕｔｅ，Ｉｎｄｉａｎａ）から入手可能である。
【００１３】
好ましくは、トップシート２４は、装着者の皮膚を吸収性コア２８に含まれる液体から分離するために、疎水性材料から製造されるか、または疎水性に処理される。トップシート２４が疎水性材料から製造される場合、好ましくは少なくともトップシート２４の上側表面は、親水性に処理されて、その結果、液体はより迅速にトップシートから移動する。これは、体の排泄物が、トップシート２４を通り抜け、吸収性コア２８によって吸収されるよりむしろトップシート２４から流れ出る可能性を減少させる。トップシート２４は、それを界面活性剤で処理することによって、または界面活性剤をトップシートに組込むことによって、親水性にさせることができる。トップシート２４を界面活性剤で処理する適切な方法は、トップシート２４材料を界面活性剤に浸すことを含む。このような処理および親水性のより詳細な検討は、１９９１年１月２９日にＲｅｉｓｉｎｇらに発行された「多層吸収層を有する吸収体」と題された米国特許第４，９８８，３４４号および１９９１年１月２９日にＲｅｉｓｉｎｇに発行された「急速捕捉吸収性コアを有する吸収体」と題された米国特許第４，９８８，３４５号に含まれる。界面活性剤をトップシートに組込むいくつかの適切な方法のさらに詳細な検討は、Ａｚｉｚらの名前で１９９７年７月１日に公開された米国衛生用品発明登録番号Ｈ１６７０号に見ることができる。これらの資料の各々は、ここに参照してここに組込まれる。あるいは、トップシート２４は、疎水性の有孔ウェブまたはフィルムを含むことができる。これは、生産プロセスから疎水処理ステップをなくし、かつ／または以下に説明するように、スコッチガード（ＳＣＯＴＣＨＧＵＡＲＤ）などのポリテトラフルオロエチレン化合物や疎水性ローション組成などの疎水処理をトップシート２４に施すことによって行うことができる。このような実施の形態では、尿などの水性流体が目立った抵抗なしに浸透するのに十分な大きさを孔が有することが好ましい。
【００１４】
トップシート２４の任意の部分は、当業界で知られるようなローションで被覆することができる。適切なローションの例としては、１９９７年３月４日にＲｏｅに発行された刺激緩和剤およびポリオールポリエステル固定剤を含むローション付きトップシートを有する使い捨て吸収体」と題された米国特許第５，６０７，７６０号；１９９７年３月１１日にＲｏｅに発行された「流体ポリオールポリエステル刺激緩和剤および固定剤を含むローショントップシートを有するおむつ」と題された米国特許第５，６０９，５８７号；１９９７年６月３日にＲｏｅらに発行された「ポリシロキサン刺激緩和剤を含むローション付きトップシートを有するおむつ」と題された米国特許第５，６４３，５８８号に開示されたローションが含まれる。このローションは、前述の疎水性処理として単独で機能するか、あるいは他の薬剤との組合せで機能することができる。トップシートは、抗菌剤を含むか、あるいは抗菌剤で処理することもでき、このいくつかの例が、Ｔｈｅｒｅｓａ  Ｊｏｈｎｓｏｎの名前で１９９５年９月１４日に公開された「臭いを抑制するためにトップシートに抗菌剤を含む吸収体」と題されたＰＣＴ公開番号第ＷＯ９５／２４１７３号に開示されている。さらに、トップシート２４、バックシート２６、またはトップシートまたはバックシートの任意の部分は、エンボス加工および／またはマット仕上げされ、より布様の外観を供することができる。
【００１５】
吸収性コア２８は、一般に、圧縮でき、柔軟で、装着者の皮膚に対して刺激がなく、そして尿および他のある種の体の排泄物などの液体を吸収し、そして保持する能力のあるあらゆる吸収性材料を備えることができる。吸収性コア２８は、長手方向側縁６０および端縁２９を有し、広範なサイズおよび形状（例えば、長方形、砂時計型、「Ｔ」型、非対称など）で製造することができ、そして一般にエアフェルトと呼ばれる、微粉砕木材パルプのような使い捨ておむつおよび他の吸収体に一般に使用される広範な液体吸収性材料を備えることができる。他の適切な吸収性材料の例としては、クレープセルロースワッディング；コフォームを含むメルトブロウンポリマー；科学的剛性、変性または架橋セルロース性繊維；ティッシューラップおよびティッシューラミネートを含むティッシュー；吸収性フォーム；吸収性スポンジ；超吸収性ポリマー；吸収性ゲル化材料；またはいずれかの他の公知の吸収性材料または材料の組合せを含む。
【００１６】
吸収性コア２８の形状および構造は、変化してもよい（例えば、吸収性コアまたは他の吸収構造は、変化するキャリパーゾーン、親水性勾配、超吸収勾配、または低い平均密度および低い平均坪量捕捉ゾーンを有することができるか、または１つまたはそれ以上の層または構造を備えることができる）。しかし、吸収性コア２８の総吸収容量は、おむつ２０の設計負荷および意図される使用に適合性があるべきである。
【００１７】
吸収性組立て体として使用するための例示の吸収構造は、１９８６年９月９日にＷｅｉｓｍａｎらに発行された「高密度」吸収構造と題された米国特許第４，６１０，６７８号；１９８７年６月１６日にＷｅｉｓｍａｎらに発行された「二重層コアを有する吸収体」と題された米国特許第４，６７３，４０２号；１９８９年５月３０日にＡｌｅｍａｎｙらに発行された「低密度および低い坪量捕捉ゾーンを示す高密度吸収部材」と題された米国特許第４，６１０，６７８号；１９８９年１２月１９日にＡｎｇｅｓｔａｄｔに発行された「ダスチング層を有する吸収性コア」と題された米国特許第４，８８８，２３１号；１９９２年８月１１日にＨｅｒｒｏｎらに発行された「個別されたポリカルボン酸架橋木材パルプセルロース繊維を含有する吸収構造」と題された米国特許第５，１３７，５３７号；および１９９２年９月１５日にＹｏｕｎｇらに発行された「失禁管理用の高い効率の吸収体」と題された米国特許第５，１４７，３４５号；１９９４年８月３０日にＲｏｅに発行された「低粘度便材料用の使い捨て吸収体」と題された米国特許第５，３４２，３３８号；１９９３年１２月９日にＤｅｓＭａｒａｉｓらに発行された「体液用の吸収フォーム材料およびそのような材料を含む吸収体」と題された米国特許第５，２６０，３４５号；１９９５年２月７日にＤｙｅｒらに発行された「使用するまでは薄い、体液用吸収フォーム材料、およびこの材料を作製するプロセス」と題された米国特許第５，３８７，２０７号；１９９７年７月２２日にＤｅｓＭａｒａｉｓらに発行された「非常に高い水・オイル比を有する高内部相エマルジョンで形成された流体用の吸収フォーム材料」と題された米国特許題５，６２５，２２２号に説明されている。これらの特許の各々は、参照してここに組込まれる。
【００１８】
おむつ２０は、改良されたフィットおよび包含性を供する助けになる少なくとも１つの弾性ウエスト部材３４を備えていてもよい。弾性ウエスト部材３４は、装着者のウエストに動的にフィットするように弾性的に延伸し、そして収縮することが一般に意図される。弾性ウエスト部材３４は、好ましくは、吸収性コア２８の少なくとも１つのウエスト縁２９から少なくとも長手方向に外向きに延伸し、そして一般に、おむつ２０の端縁５２の少なくとも一部分を形成する。使い捨ておむつは、しばしば、２つの弾性ウエスト部分を有するように構成され、１つは、第一のウエスト領域４６に位置決めされ、そして１つは第二のウエスト領域４４に位置決めされる。さらに、弾性ウエスト部材３４またはその構成要素のいずれかが、おむつ２０に添付された１つまたはそれ以上の別個の要素を備えることができる一方で、弾性ウエスト部材３４は、バックシート２６、トップシート２４、またはバックシート２６とトップシート２４との両方のようなおむつ２０の他の要素の延長として構成することができる。
【００１９】
弾性ウエスト部材３４は、１９８５年５月７日にＫｉｅｖｉｔらに発行された米国特許第４，５１５，５９５号；１９８７年１２月１日にＬａｓｈに発行された米国特許第４，７１０，１８９号；１９９２年９月９日にＢｕｅｌｌに発行された米国特許第５，１５１，０９２号；および１９９３年６月２２日にＢｕｅｌｌに発行された米国特許第５，２２１，２７４号に説明されるものを含む多数の異なる形状で構成することができる。他の適切なウエスト形状は、１９９１年６月２５日にＲｏｂｅｒｔｓｏｎに発行された米国特許第５，０２６，３６４号および１９８９年３月２８日にＦｏｒｅｍａｎに発行された米国特許第４，８１６，０２５号に説明されるもののようなウエストキャップ部材を含んでよい。上で示される資料のすべては、参照してここに組込まれる。
【００２０】
おむつ２０は、留め具システム３６を含んでもよい。留め具システム４２は、第一のウエスト領域４６および第二のウエスト領域４４のサイドプレート３０を少なくとも部分的に重なり合った状態に維持して、装着時におむつ２０の周辺に横断方向の張力を供し、おむつ２０を装着者上に保持することが好ましい。留め具システム３６は、ランディング部材３８に係合するテープタブの形態でよい固定部材３７、および／またはフックおよびループ留め要素を備えることが好ましい。ただし、一般に、あらゆる他の既知の留め手段が受け入れられる。いくつかの例示の留め具システムは、１９７４年１１月１９日にＢｕｅｌｌに発行された「使い捨ておむつ用のテープ留め具システム」と題された米国特許第３，８４８，５９４号；１９８７年５月５日にＨｉｒｏｔｓｕらに発行された「吸収体」と題された米国特許第Ｂ１  ４，６６２，８７５号；１９８９年７月１１日にＳｃｒｉｐｐｓに発行された「改良された留め具装置を有する使い捨ておむつ」と題された米国特許第４，８４６，８１５号；１９９０年１月１６日にＮｅｓｔｅｇａｒｄに発行された「改良されたフック留め具部分を有する使い捨ておむつ」と題された米国特許第４，８９４，０６０号；１９９０年８月７日にＢａｔｔｒｅｌｌに発行された「感圧接着剤留め具およびその製造方法」と題された米国特許第４，９４６，５２７号；１９９２年９月９日にＢｕｅｌｌに発行された、前に参照された米国特許第５，１５１，０９２号；および１９９３年６月２２日にＢｕｅｌｌに発行された米国特許第５，２２１，２７４号に開示される。これらの特許の各々は、参照してここに組込まれる。代替的実施の形態では、衣服の対向するサイドを縫い合わせるかあるいは融合してパンツを形成することができる。この場合、吸収体をトレーニングパンツなどのプルオン型おむつとして使用することができる。
【００２１】
おむつ２０は、サイドパネル３０を備えてもよい。サイドパネル３０は、おむつ２０を装着者に、当初から快適にフィットさせ、そして弾性サイドパネル３０が、おむつ２０の側面を拡張させ収縮させるので、おむつ２０が排泄物にかけられるずっと前に、装着の時間を通してこのフィットを維持することによって、より快適で体型にあったフィットを供するのに弾性または延伸性があってよい。
おむつ装着者が、使用中に他のものより弾性化サイドパネル３０をいっそう引張った場合でさえ、おむつ２０は、装着中に「自己調節」するので、サイドパネル３０は、おむつ２０のいっそう有効な使用を提供することもできる。
【００２２】
本発明のおむつ２０は、第二のウエスト領域４４に配置されるサイドパネル３０を有することが好ましい一方で、第一のウエスト領域４６に、または第一のウエスト領域４６および第二のウエスト領域４４の両方に配置されるサイドパネル３０を具備することができる。サイドパネル３０は、あらゆる適切な形状で構成することができる。弾性化サイドパネルを有するおむつの例は、１９８９年８月１５日にＷｏｏｄらに発行された「シャーリングされた耳付きの使い捨ておむつ」と題された米国特許第４，８５７，０６７号；１９８３年５月３日にＳｃｉａｒａｆｆａらに発行された米国特許第４，３８１，７８１号；１９９０年７月３日にＶａｎ  Ｇｏｍｐｅｌらに発行された米国特許第４，９３８，７５３号に開示され、前にここに参照した１９９２年９月９日にＢｕｅｌｌに発行された米国特許第５，１５１，０９２号；および１９９３年６月２２日にＢｕｅｌｌに発行された米国特許第５，２２１，２７４号；「保持された動的フィットを供する吸収体」と題された１９９７年９月２３日にＬａＶｏｎらに発行された米国特許第５，６６９，８９７号；Ｒｏｂｌｅｓらの名前で「多方向延伸性サイドパネルを有する吸収体」と題された米国特許出願番号第０８／９１５，４７１号に開示され、その各々は、参照してここに組込まれる。
【００２３】
おむつ２０は、好ましくはさらに、液体および他の排泄物の改良された包含を供するレッグカフ３２を含む。レッグカフは、レッグバンド、サイドフラッシュ、バリヤーカフまたは弾性カフにも言及される。米国特許３，８６０，００３号には、サイドフラップおよび１つまたはそれ以上の弾性部材を有する、締付け可能レッグ開口を供して、弾性レッグカフ（ガスケットカフ）を提供する使い捨ておむつが開示されている。それぞれ、１９８９年２月２８日および１９９０年３月２０日にＡｚｉｚらに発行された米国特許第４，８０８，１７８号および第４，９０９，８０３号には、脚部領域の包含性を改良する「立ち上り」男性化フラップ（バリヤーカフ）を有する使い捨ておむつが説明されている。１９８７年９月２２日にＬａｗｓｏｎに、そして１９８９年１月３日にＤｒａｇｏｏにそれぞれ発行された米国特許第４，６９５，２７８号および第４，７９５，４５４号には、ガスケットカフ５６およびバリヤーカフ５８を含む二重カフを有する使い捨ておむつが説明されている。いくつかの実施の形態では、レッグカフのすべてまたは一部を前述のようにローションで処理することが望ましい。おむつ２０は、レッグカフ３２だけでなく、１つまたはそれ以上の弾性ストランド６５がバリヤーカフの外側に位置決めされた弾性ガスケットカフ６３を含むこともできる。
【００２４】
本発明の実施の形態としては、排泄物を受入れ、封じ込めるポケット、排泄物のための空隙を供するスペーサー、製品中で排泄物が移動するのを制限するバリヤー、製品中に配置される排泄物材料を受入れそして含有する仕切または空隙等、またはそのいずれかの組合せが挙げられる。吸収製品で使用するためのポケットおよびスペーサーの例は、「専用スペーサーを有するおむつ」と題された１９９６年５月７日にＲｏｅらに発行された米国特許第５，５１４，１２１号；「コアスペーサーを有する使い捨て吸収体」と題された１９９２年１２月１５日にＤｒｅｉｅｒらに発行された米国特許第５，１７１，２３６号；「ポケットカフを有する吸収体」と題された１９９５年３月１４日にＤｒｅｉｅｒに発行された米国特許第５，３９７，３１８号；「アペックスを備えたポケットカフを有する吸収体」と題された７月３０日にＤｒｅｉｅｒらに発行された米国特許第５，５４０，６７１号；および「衛生用吸収体に使用するためのスペーサーおよびそのようなスペーサーを有する使い捨て吸収体」と題された１９９３年１２月３日に公開されたＰＣＴ出願ＷＯ９３／２５１７２号；および「使い捨て吸収体に使用するための柔軟なスペーサー」と題された１９９４年５月２６日にＦｒｅｅｌａｎｄに発行された米国特許第５，３０６，２６６号に説明されている。仕切または空隙の例は、１９９０年１１月６日にＫｈａｎに発行された「使い捨て便区切おむつ」と題された米国特許第４，９６８，３１２号；１９９１年２月５日にＦｒｅｅｌａｎｄに発行された「排泄物材料分離のための弾性ライナーを有する吸収体」と題された米国特許第４，９９０，１４７号；１９９１年１１月５日にＨｏｌｔらに発行された「使い捨ておむつ」と題された米国特許第５，６２，８４０号；および１９９３年１２月１４日にＦｒｅｅｌａｎｄらに発行された「使い捨て吸収体用の三分割トップシートおよびこのような三分割トップシートを有する使い捨て吸収体」と題された米国特許第５，２６９，７５５号に開示されている。適切な横断バリヤーの例は、Ｄｒｅｉｅｒらの名前で１９９６年９月１０日に発行された「複数の有効高さ横断区分を有する吸収体」と題された米国特許第５，５５４，１４２号；Ｆｒｅｅｌａｎｄらの名前で１９９４年７月７日に公開された「直立横断区分を有する吸収体」と題されたＰＣＴ特許第ＷＯ９４／１４３９５号；およびＲｏｅらに１９９７年８月５日に発行された「角度直立横断区分を有する吸収体」と題された米国特許第５，６５３，７０３号に説明されている。上記引用の特許および刊行物のそれぞれの開示はここの参照してここに組込まれる。
【００２５】
トップシートは、液体透過性であるだけでなく、延伸性であることが好ましく、弾性的に延伸性であることがより好ましい。液体がトップシートを通過して吸収性コアによって吸収されることを可能にするために、トップシートが拡張状態であるか、あるいは弛緩状態または収縮状態であるかにかかわらず、トップシートでは液体透過性の属性が常に好ましい。ゴム、ラテックス、延伸性高分子フィルムなどで作られた薄い有孔シートなど本来弾性の材料でトップシートを形成することによって、トップシートに弾性伸長可能性を付与することができる。また、トップシートは、コルゲーティング、リングローリングなどによって弾性になるように形成または処理された繊維材料の織布シートまたは不織布シートなど、本来実質的に非弾性の材料で形成することもできる（説明と、バックシート２６の弾性的な延伸性に関する上記の議論で参照して組込まれた特許とを参照されたい）。上で識別されたローリング技法の内の１つでトップシートに弾性的な延伸性を付与する場合、おむつのトップシートの幅寸法に対応するおむつ２０に対する横断方向にトップシートの少なくとも一部を伸長できるように、弾性的延伸性の属性を少なくとも１つのクロスマシン方向に付与することが好ましい。
【００２６】
本発明によるトップシートは、張力をかけられたときにトップシートを貫通して延びる複数の比較的小さな開口を含む１つまたはそれ以上の領域を含むことが好ましい。このような開口は、通常は幼児および生まれたばかりの赤ん坊、ならびに下痢になっているその他の人に関連する特徴の軟便や液状便などの半個体がトップシートを通過できるようにする。このようなトップシートに作用している引張り力が解除されると、材料の弾性によってトップシートが最初の非張力状態に収縮し、すでに存在している小さな開口が閉じ、それによって、非液体がさらにトップシートを通過するのが妨げられる。開口が閉じると、トップシートを通過した物質は、吸収性コアとトップシートとの間に保持される。さらに、トップシートが不透明であるか、あるいは実質的に不透明である場合、便は見えず、したがって、おむつの装着は、介護者にとって気の進まない歓迎されない雑用ではなくなる。
【００２７】
トップシートが横方向の引張り力を加えられたときにトップシートを貫通する開口を形成するようになっているトップシートの領域は、トップシートを貫通して延びるスリット、切込み、または穿孔の形の複数の不連続部を設けることによって貫通することが好ましい。これらの不連続部は、スリット、切込み、または穿孔の離散局部領域の所定のパターンをトップシートに画定するように配置される。これらの不連続部により、不連続部を囲むトップシートの縁が互いに分離し、それによって所望の複数の小さな開口を形成することができる。このような不連続部は、当業者に知られている種類の様々な切断装置によって作ることのできる、直線状の切込み、曲線状の切込み、またはそれらの組合せの形であることが好ましい。
【００２８】
次に、図２を参照すると、本発明によるトップシート２０２を有する使い捨ておむつ２００の体側表面が示されている。おむつ２００の構造は、他のすべての点で、図１に示し上でおむつ２０に関して説明した構造と同じである。図２に示すように、トップシート２０２は、それを貫通して延びる複数の直線状切込みまたはスリット２０６によって画定された、間隔を置いて配置された離散不連続部のパターン２０４を含む。スリット２０６は、おむつ２００の長手方向、すなわち、長手方向中心線１００の方向に延びるような向きにすることが好ましく、やはりおむつ２００の長手方向に延びる横方向に間隔を置いて配置された複数の列２０８を画定するように位置合わせすることが好ましい。図２に示されているように、スリット２０６は、実質的に等しい長さを有するが、必要に応じて異なる長さであってよい。また、図２に示すように、与えられた列２０８のスリット２０６は長手方向に等間隔に配置され、互いに隣接する列２０８は、互いに横断間隔２０９だけ離れており、ある列２０８のスリット２０６の端が隣接する列２０８のスリットの端から長手方向にずれるように位置決めされる。したがって、ある列２０８の位置合わせされたスリット２０６同士の間に介在する切り込まれていない間隔に対して、隣接する列２０８のスリット２０６が横方向に対向している。図２に示すように、スリット２０６が実質的に閉じた状態では、スリットの縁同士が実質的に互いに接触し、トップシート２０２が、裸眼で、切込みやスリットのない連続的なトップシートに見えるが、依然として液体透過性であるという点で、トップシート２０２は弛緩非張力状態である。
【００２９】
横方向の引張り力がトップシート２０２に加えられると、トップシート２０２の延伸性によってトップシートが横方向に伸長する。この状態では、互いに隣接するスリット２０６の間の切り込まれていない領域２１０が、横方向の引張り力を受け、図３に示すように、領域２１０が横方向に伸長し、スリット２０６の縁が互いに分離し、個々の開口２１２を形成する。各スリット２０６の互いに対する配設、サイズ、および間隔のために、開口２１２は、図４に示すようにダイヤモンド形である。このような横方向に加えられる引張り力が付与されるのは、おむつ２００の背部ウエスト領域４４内の耳部３０がそれぞれ横方向外側に互いに逆方向に引かれ、おむつの背部ウエスト領域を着用者の腰部およびウエストの周辺に引っ張れるようになり、それによって、背部ウエスト領域４４の耳部３０が少なくとも部分的に前部ウエスト領域４６の耳部３０と重なり合ったときである。図４に示す状態では、張力をかけられているトップシート２０２の複数の開口２１２は、図５に示すように、半固体状の便２０７が装着者２０５からトップシート２０２の開口２１２を通過して吸収性コア２８に到達できるようにするのに十分な大きさである。便２０７がトップシート２０２を通過する際、図６に示すように、この材料の液体成分は吸収性コア２８に吸収され、それに対して、この材料の固体成分は吸収性コア２８とトップシート２０２との間に残る。
【００３０】
おむつ２０２がその後、装着者の体から取り外される際、前に装着者のウエストの周辺におむつをぴったりと保持する働きをしていた引張り力が解除され、それによって、トップシートは最初の非張力状態に戻る。トップシート２０２に作用していた引張り力が解除され、トップシートが最初の非張力状態に収縮すると、図７に示すように、トップシート２０２が張力状態のときに存在していた複数の小さな開口２１２が閉じ、便材料の、トップシートを通過した部分が見なくなるように働く。
【００３１】
図２に示すように、トップシート２０２のスリット２０６が直線形であるとき、スリットは、約１．０ｍｍないし約１００ｍｍ、好ましくは約２．０ｍｍないし約５０．０ｍｍ、最も好ましくは約３．０ｍｍないし約１０．０ｍｍの長さを有すことができる。互いに隣接するスリット２０６の間の長手方向空間２１０は、約１０．０ｍｍまでであり、好ましくは約５．０ｍｍまでであり、最も好ましくは約２．０ｍｍまでである。互いに位置合わせされたスリット２０６の互いに隣接する列２０８の間の横断間隔２０９は、約１０．０ｍｍまでであり、好ましくは約５．０ｍｍまでであり、最も好ましくは約２．０ｍｍまでである。互いに隣接する列２０８内のスリット２０６の端の長手方向のずれ２１１は、約０ｍｍないし約１００ｍｍであり、好ましくは約２．０ｍｍないし約５０ｍｍであり、最も好ましくは約３．０ｍｍないし約１０．０ｍｍである。
【００３２】
スリットパターン２０４は、図２では、互いに位置合わせされたスリット２０６の一連の平行な列２０８として示されているが、必要に応じて、与えられた列のスリットが互いに厳密には位置合わせされず、互いに横方向にずれるようなパターンでもよい。しかし、スリット２０６は、トップシート２０２に引張り力をかけたときに、面積が約１．０ｍｍ２ないし２５００ｍｍ２であり、切込みパターン２０４全体にわたって実質的に一様に分散された、実質的に等しい面積を有する複数の開口が得られることが好ましい。例えば、開口２１２の面積は、トップシート２０２の、おむつ２００の長手方向中心線１００に位置する部分および中心線１００に隣接する部分を他の部分よりも大きくすることができる。また、トップシート２０２の、長手方向中心線１００と横断中心線１１０の交差点に位置する部分およびこの交差点に隣接する部分により大きな開口２１２を設けることができる。
【００３３】
スリット２０６は、図２では直線形を有するように示されているが、曲線状でも、あるいは他の任意の適切な形状でもよい。必要に応じて、直線形と曲線形の組合せでもよい。このような曲線状スリット２１４の１つの形態が図８に示されている。図８に示すスリット形および行列スリットパターンを有するトップシート２１５が横方向に伸長すると、図９に示すように、スリット２１４が開き、それぞれの実質的に三日月形の開口２１６が画定される。
【００３４】
図２に示すスリットパターン２０４に示されている長手方向に位置合わせされたスリットだけでなく、図１０に示すようにスリットパターンを位置合わせすることもできる。図１０に示すように、トップシート２２０の個々のスリットは、斜めに配設されたスリット２２４のパターン２２２に配設することができる。スリット２２４はそれぞれ、直線状の切込みによって画定されており、図１０のスリットパターンは、それぞれ複数のスリット２２４によって画定された、横方向に間隔を置いて配置された一連の長手方向列を画定しているが、各スリット２２４は、おむつの長手方向軸に平行な線２２６に対して鋭角θだけ傾斜している。傾斜角θは、約４５度未満であることが好ましく、約３０度未満であることがより好ましい。さらに、スリット２２４をそれぞれ、図１０に示すように同じ傾斜角に配設することも、あるいは、トップシートのそれぞれの異なる領域でそれぞれの異なる面積を有するトップシート開口を形成するようにスリットの傾斜角をスリットパターン２２２内で異ならせることもできる。また、スリットパターンは、必要に応じて直線状スリットと曲線状スリットの両方を含むことができる。
【００３５】
図２に示すスリットパターン２０４は、必要に応じて、トップシート２０２の全面にわたって延びる全体的なパターンでよい。しかし、また、図２に示すように、背部ウエスト領域４４や股領域など、トップシート２０２の限られた領域にのみスリットパターン２０４を設けることができる。スリットパターン２０４は、トップシート２０２が張力を受けたときに、装着者の体に対するおむつの位置および装着者の体のサイズにはかかわらず、結果として得られるトップシートの開口の少なくともいくつかが、おむつの装着時に装着者の肛門に向かい合って位置決めされるのに十分な大きさの領域にわたって延びることが好ましい。したがって、スリットパターン２０４は股領域４８の少なくとも一部にわたって延びることが好ましい。もちろん、このスリットパターン範囲変形例は、それぞれ図１０に示す曲線状スリット２１４および斜めに配設されたスリット２２４にも適切である。
【００３６】
バックシート２６は延伸性であり、好ましくは約１０％ないし約５００％、より好ましくは約５０％ないし約３００％の延伸性を有し、それにより、装着者の体におむつ２００を付ける際にバックシートおよびトップシートがそれぞれ、同時に横方向に伸長することが好ましい。バックシートとトップシートがこのように手動で伸長するので、おむつが装着者の体にぴったりとフィットし、トップシートが、それに形成されたスリットを開くのに十分な量だけ伸長し、おむつが過度にかさばることも、あるいはだぶだぶになることもなく、したがって、装着者の下部胴体の周辺に位置決めされる装着者の衣服に望ましくない突起が生じることはなくなる。バックシート２６の延伸性は、少なくとも背部ウエスト領域４４およびおむつの股領域４８の少なくとも一部に付与することが好ましい。
【００３７】
バックシート２６は、弾性的延伸性の属性を有する代わりに、必要に応じて実質的に非弾性であってもよい。この場合、図１１に示すように、バックシート２６がトップシート２０２より大きな幅を有することが好ましく、その場合、より幅が狭くスリットを含む弾性的延伸性トップシート２０２によって、トップシートと吸収性コア２８との間に実質的に三日月形の隙間が生じる。このような構造を有するおむつを装着者の体に付けると、トップシート２０２が張力を受け、それにより、トップシートに設けられたスリット２０６が開き、本発明の利益を実現することができる。
【００３８】
本発明の特定の実施の形態を図示し説明したが、当業者には、本発明の趣旨から逸脱せずに他の様々な変更および修正を加えられることが明らかであろう。したがって、添付の請求の範囲において、本発明の範囲内のすべてのそのような変更および修正をカバーすることが意図されている。
【図面の簡単な説明】
【図１】  下部構造を見せるように切り取られた構造の部分を有する、使い捨ておむつの形態の、本発明による吸収体の平面図である。
【図２】  装着者の体に当てられる前の非張力状態の、本発明による吸収体を示す、図１の図と同様な図である。
【図３】  図２の線３−３に沿ってとった図２の吸収体の分解断面図である。
【図４】  吸収体の、横方向の張力を受けている部分を示す、図２の図と同様な図である。
【図５】  図４の線５−５に沿ってとった図４の吸収体の分解断面図である。
【図６】  吸収体のトップシートの開口部を通過した便材料を示す図５の図と同様な図である。
【図７】  図６の図と同様であるが、トップシートの開口部が閉じた後の吸収体を示す図である。
【図８】  トップシートの、曲線スリットを含む部分の分解平面図である。
【図９】  図８の図と同様であるが、張力をかけられたときの図８のトップシートを示す図である。
【図１０】  トップシートの、斜めに配設された複数の曲線スリットを含む部分の分解平面図である。
【図１１】  取り付けられた弾性トップシートの幅よりも大きな幅を有する実質的に非弾性のバックシートを有する他の形態の吸収体の断面図である。
【図１】
0004498605.tif 000002
【図２】
0004498605.tif 000003
【図３】
0004498605.tif 000004
【図４】
0004498605.tif 000005
【図５】
0004498605.tif 000006
【図６】
0004498605.tif 000007
【図７】
0004498605.tif 000008
【図８】
0004498605.tif 000009
【図９】
0004498605.tif 000010
【図１０】
0004498605.tif 000011
【図１１】
0004498605.tif 000012